(57)【要約】【課題】操作感が良いレンズ駆動ユニットを提供する。【解決手段】レンズ駆動ユニットは、操作部材４からの駆動力が伝達される操作リング３Ａと、超音波モータ１２からの駆動力が伝達される駆動リング９と、操作リング３Ａ又は駆動リング９からの駆動力が選択的に伝達される出力リング５と、操作リング３Ａ、出力リング５及び駆動リング９などが収容されるユニット筐体１とを備え、ユニット筐体１は、ラジアル方向の第１の接触部１ａとスラスト方向の第２の接触部１ｂとを備え、操作リング３Ａは、ユニット筐体１の第１の接触部１ａと径嵌合している。ユニット筐体１の第２の接触部１ｂと操作リング３Ａの端面との間に、挿入される低摩擦部材２Ａを備えている。【選択図】図１
2005148191.tif 000002
【特許請求の範囲】
【請求項１】
操作部材からの駆動力が伝達される操作リングと、
アクチュエータからの駆動力が伝達される駆動リングと、
前記操作リング又は前記駆動リングからの駆動力が選択的に伝達される出力リングと、
前記操作リング、前記出力リング及び前記駆動リングが収容されるユニット筐体とを備えたレンズ駆動ユニットにおいて、
前記ユニット筐体は、ラジアル方向の第１の接触部とスラスト方向の第２の接触部とを備え、
前記操作リングは、前記ユニット筐体の第１の接触部と径嵌合し、
前記ユニット筐体の第２の接触部と前記操作リングの端面との間に、挿入される低摩擦部材を備えたこと、
を特徴とするレンズ駆動ユニット。
【請求項２】
請求項１に記載のレンズ駆動ユニットにおいて、
前記低摩擦部材は、シート形状であること、
を特徴とするレンズ駆動ユニット。
【請求項３】
請求項１又は請求項２に記載のレンズ駆動ユニットにおいて、
前記ユニット筐体と前記操作リングは、同材料であること、
を特徴とするレンズ駆動ユニット。
【発明の詳細な説明】
【技術分野】
【０００１】
本発明は、レンズ鏡筒などに内蔵されるレンズ駆動ユニットに関するものである。
【背景技術】
【０００２】
図２は、従来のレンズ駆動ユニットの一例を示した断面図である。
従来のレンズ駆動ユニット筐体１は、鏡筒本体に固定筒１１を介して固定されており、摺動補助リング２、操作リング３、出力リング５、駆動リング９、振動波モータ１２等からなるレンズ駆動ユニットを収容している。
【０００３】
操作リング３は、操作部材４からの駆動力が入力されるリングであり、ユニット筐体１と径嵌合する摺動補助リング２を介して、ラジアル方向及びスラスト方向に位置決めされている。操作部材４は、手動により操作される部材であり、操作リング３の外周部で係合する。
【０００４】
駆動リング９は、このレンズ鏡筒に内蔵される駆動源である振動波モータ１２に接続され、振動波モータ１２からの駆動力が入力される部材である。
出力リング５は、操作リング３又は駆動リング９からの駆動力が選択的に伝達される部材であり、ユニット筐体１と径嵌合している。遊星コロ６は、出力リング５に外周面が接触して、光軸周りの遊星運動を行う部材である。
【０００５】
このレンズ鏡筒は、操作部材４がユーザからの回転操作を受けると、それに伴い、操作リング３が光軸周りの回転運動を行い、コロ６を介し、出力リング５も光軸周りの回転運動を行う。このとき、駆動リング９は、静止している。
【０００６】
また、駆動源である振動波モータ１２が運動すると、駆動リング９は、光軸周りの回転運動を行い、コロ６を介し、出力リング５も光軸周りの回転運動を行う。このとき、操作リング３は、静止している。
【０００７】
このように、出力リング５は、ユーザの操作又は駆動源からの駆動力の２系統の入力に対して、選択的に回転運動を行う。
この回転運動は、出力リング５に取り付けられたフォーク７及び係合ピン１０を介して、レンズ室８に伝えられ、レンズ室８の回転運動は、固定筒とのカム結合等の手段により、レンズの光軸方向の直線運動に変換され、最終的に所望のレンズ駆動が達成される。
【０００８】
しかし、前述した従来のレンズ駆動ユニットでは、操作力量を軽減するために、摺動補助リング２に低摩擦係数の材料（ポリアセタール樹脂など）を用いることがある。
この場合に、一般的に、低摩擦係数の材料は、線膨張係数が大きいため、摺動補助リング２と操作リング３との間の高温下又は低温下での締まり付きを防止するために、常温下でのクリアランスをある程度、確保せねばならず、操作感が悪化する、という問題があった。
【０００９】
従来のレンズ鏡筒は、操作性と作動感触を良好にするために、操作部材の光軸方向のスラストガタを調整することが行われていた（例えば、特許文献１）。
【００１０】
【特許文献１】特開２００２−５５２６７号公報
【発明の開示】
【発明が解決しようとする課題】
【００１１】
本発明の課題は、操作感が良いレンズ駆動ユニットを提供することである。
【課題を解決するための手段】
【００１２】
前記課題を解決するために、請求項１の発明は、操作部材からの駆動力が伝達される操作リングと、アクチュエータからの駆動力が伝達される駆動リングと、前記操作リング又は前記駆動リングからの駆動力が選択的に伝達される出力リングと、前記操作リング、前記出力リング及び前記駆動リングが収容されるユニット筐体とを備えたレンズ駆動ユニットにおいて、前記ユニット筐体は、ラジアル方向の第１の接触部とスラスト方向の第２の接触部とを備え、前記操作リングは、前記ユニット筐体の第１の接触部と径嵌合し、前記ユニット筐体の第２の接触部と前記操作リングの端面との間に、挿入される低摩擦部材を備えたこと、を特徴とするレンズ駆動ユニットである。
【００１３】
請求項２の発明は、請求項１に記載のレンズ駆動ユニットにおいて、前記低摩擦部材は、シート形状であること、を特徴とするレンズ駆動ユニットである。
【００１４】
請求項３の発明は、請求項１又は請求項２に記載のレンズ駆動ユニットにおいて、前記ユニット筐体と前記操作リングは、同材料であること、を特徴とするレンズ駆動ユニットである。
【発明の効果】
【００１５】
本発明によれば、以下のような種々の効果がある。
（１）ユニット筐体は、ラジアル方向の第１の接触部とスラスト方向の第２の接触部とを備え、操作リングは、ユニット筐体の第１の接触部と径嵌合し、ユニット筐体の第２の接触部と操作リングの端面との間に、挿入される低摩擦部材を備えているので、ラジアル方向のクリアランスを小さくすることが可能となり、スラスト方向に低摩擦係数部材を配置することと合わせて、操作感が向上する。
【００１６】
（２）また、低摩擦部材は、シート形状にしたので、単純形状で機能を果たすために、製造コストを抑えることが可能であり、配置上の空間的制約も軽減される。
（３）さらに、ユニット筐体と操作リングを同材料にしたので、ラジアル方向のクリアランスを最小に抑えることが可能となる。
【発明を実施するための最良の形態】
【００１７】
本発明は、操作感が向上するという目的を、操作リングがラジアル方向に径嵌合し、ユニット筐体と操作リングを同材料にすると共に、スラスト方向にシート形状の低摩擦係数材料を配置することで実現した。
【実施例１】
【００１８】
図１は、本発明によるレンズ駆動ユニットの実施例を示す断面図である。
なお、前述した従来例と同様な機能を果たす部分には、同一の符号を付して、重複する説明面を適宜省略する。
本実施例のレンズ駆動ユニットは、操作部材４からの駆動力が伝達される操作リング３Ａと、超音波モータ（アクチュエータ）１２からの駆動力が伝達される駆動リング９と、操作リング３Ａ又は駆動リング９からの駆動力が選択的に伝達される出力リング５と、操作リング３Ａ、出力リング５及び駆動リング９などが収容されるユニット筐体１とを備えている。
また、この出力リング５に外周面が接触して、遊星運動を行う遊星コロ（遊星転動体）６を備えている。出力リング５は、遊星コロ６を介して、操作リング３Ａ又は駆動リング９からの駆動力が選択的に伝達される。
【００１９】
本実施例では、ユニット筐体１は、ラジアル方向の第１の接触部１ａとスラスト方向の第２の接触部１ｂとを備えている。
そして、操作リング３Ａは、ユニット筐体１の第１の接触部１ａと径嵌合している。また、ユニット筐体１の第２の接触部１ｂと操作リング３Ａの端面との間に、摺動自在に挿入される低摩擦部材２Ａを備えている。
この低摩擦部材２Ａは、ポリアセタール樹脂，ＰＴＦＥ，ＰＥＴ等の低摩擦係数の材料をシート形状に成形したものを用いることが好ましい。低摩擦材料２Ａは、シート形状という単純形状で機能を果たすために、製造コストを抑えることが可能であり、配置上の空間的制約も軽減可能である。
【００２０】
また、ユニット筐体１と操作リング３Ａは、同材料であることが好ましい。ユニット筐体１と操作リング３Ａを同材料にすることで、ラジアル方向のクリアランスを最少に抑えることが可能となり、スラスト方向に低摩擦材料２Ａを配置することと合わせて、操作感が向上する。
【図面の簡単な説明】
【００２１】
【図１】本発明によるレンズ駆動ユニットの実施例を示す断面図である。
【図２】従来のレンズ駆動ユニットの一例を示した断面図である。
【符号の説明】
【００２２】
１    ユニット筐体
２    摺動補助リング
３    操作リング
４    操作部材
５    出力リング
６  遊星コロ
７    フォーク
８    レンズ室
９    駆動リング
１０  係合ピン
１１  固定筒
１２  振動波モータ
【図１】
2005148191.tif 000003
【図２】
2005148191.tif 000004